(57)【特許請求の範囲】
【請求項１】
収納筐体と、
閉鎖位置と引出位置との間で前記収納筐体に対して引き出し自在に設けられ、棒金を収納する棒金収納部を有する収納ドロアと、を備え、
前記閉鎖位置と前記引出位置との間の途中位置において、当該途中位置から引き出し方向側への前記収納ドロアの移動が強制的に一旦停止され、当該途中位置で、前記棒金収納部は前記収納筐体から露出されず、
前記棒金収納部は、１本の棒金を収納する複数の棒金収納部分を有し、
前記収納筐体の幅方向で複数本の棒金が整列状態で収納されるよう、複数の前記棒金収納部分が配置されていることを特徴とする棒金収納庫。
【請求項２】
前記棒金収納部分は前記収納筐体の幅方向で延在することを特徴とする請求項１に記載の棒金収納庫。
【請求項３】
前記棒金収納部分は前記収納筐体の幅方向において３列で配置されていることを特徴とする請求項２に記載の棒金収納庫。
【請求項４】
前記収納ドロアは、紙葉類または棒金以外の硬貨を収納する補助収納部をさらに有し、
前記補助収納部は、前記棒金収納部に対して、引き出し方向側に配置され、
前記途中位置で、前記補助収納部は前記収納筐体から引き出されて露出されることを特徴とする請求項１乃至３のいずれか１項に記載の棒金収納庫。
【請求項５】
前記補助収納部は現金以外の紙葉類を収納する現金外紙葉類収納部または予備紙幣を収納する予備紙幣収納部を有し、
前記途中位置で、前記補助収納部の前記現金外紙葉類収納部または前記予備紙幣収納部が前記収納筐体から引き出されて露出されることを特徴とする請求項４に記載の棒金収納庫。
【請求項６】
前記収納筐体の前面に、紙葉類または棒金以外の硬貨を前記補助収納部へ送り込むための開口部が設けられていることを特徴とする請求項４または５のいずれかに記載の棒金収納庫。
【請求項７】
前記途中位置で一旦停止された前記収納ドロアを、当該途中位置から引き出し方向側へ移動可能とする解除手段をさらに備えたことを特徴とする請求項１乃至６のいずれか１項に記載の棒金収納庫。
【請求項８】
収納筐体と、
閉鎖位置と引出位置との間で前記収納筐体に対して引き出し自在に設けられ、棒金を収納する棒金収納部を有する収納ドロアと、を備え、
前記閉鎖位置と前記引出位置との間の途中位置において、当該途中位置から引き出し方向側への前記収納ドロアの移動が強制的に一旦停止され、当該途中位置で、前記棒金収納部は前記収納筐体から露出されず、
前記途中位置で一旦停止された前記収納ドロアを、当該途中位置から引き出し方向側へ移動可能とする解除手段をさらに備え、
外部装置と通信可能となっており、
前記外部装置からの指示に基づいて、前記解除手段を動作させて、前記収納ドロアを前記途中位置から引き出し方向側へ移動可能とすることを特徴とする棒金収納庫。
【請求項９】
棒金収納庫と、
前記棒金収納庫に接続された硬貨釣銭機または紙幣釣銭機と、を備え、
前記棒金収納庫は、
収納筐体と、
閉鎖位置と引出位置との間で前記収納筐体に対して引き出し自在に設けられ、棒金を収納する棒金収納部を有する収納ドロアと、を有し、
前記閉鎖位置と前記引出位置との間の途中位置において、当該途中位置から引き出し方向側への前記収納ドロアの移動が強制的に一旦停止され、当該途中位置で、前記棒金収納部は前記収納筐体から露出されず、
前記棒金収納部は、１本の棒金を収納する複数の棒金収納部分を有し、
前記収納筐体の幅方向で複数本の棒金が整列状態で収納されるよう、複数の前記棒金収納部分が配置されていることを特徴とする釣銭管理システム。
【請求項１０】
前記収納ドロアは、紙葉類または棒金以外の硬貨を収納する補助収納部をさらに有し、
前記補助収納部は、前記棒金収納部に対して、引き出し方向側に配置され、
前記途中位置で、前記補助収納部は前記収納筐体から引き出されて露出されることを特徴とする請求項９に記載の釣銭管理システム。
【請求項１１】
前記補助収納部は現金以外の紙葉類を収納する現金外紙葉類収納部または予備紙幣を収納する予備紙幣収納部を有し、
前記途中位置で、前記補助収納部の前記現金外紙葉類収納部または前記予備紙幣収納部が前記収納筐体から引き出されて露出されることを特徴とする請求項１０に記載の釣銭管理システム。
【請求項１２】
外部装置と、
前記外部装置と通信可能となった棒金収納庫と、を備え、
前記棒金収納庫は、
収納筐体と、
閉鎖位置と引出位置との間で前記収納筐体に対して引き出し自在に設けられ、棒金を収納する棒金収納部を有する収納ドロアと、を有し、
前記閉鎖位置と前記引出位置との間の途中位置において、当該途中位置から引き出し方向側への前記収納ドロアの移動が強制的に一旦停止され、当該途中位置で、前記棒金収納部は前記収納筐体から露出されておらず、
前記棒金収納庫は、前記途中位置で一旦停止された前記収納ドロアを、当該途中位置から引き出し方向側へ移動可能とする解除手段をさらに有し、
前記外部装置からの指示に基づいて、前記解除手段を動作させて、前記収納ドロアを前記途中位置から引き出し方向側へ移動可能とすることを特徴とする釣銭管理システム。
【請求項１３】
前記収納ドロアは、紙葉類または棒金以外の硬貨を収納する補助収納部をさらに有し、
前記補助収納部は、前記棒金収納部に対して、引き出し方向側に配置され、
前記途中位置で、前記補助収納部は前記収納筐体から引き出されて露出されることを特徴とする請求項１２に記載の釣銭管理システム。
【請求項１４】
前記補助収納部は現金以外の紙葉類を収納する現金外紙葉類収納部または予備紙幣を収納する予備紙幣収納部を有し、
前記途中位置で、前記補助収納部の前記現金外紙葉類収納部または前記予備紙幣収納部が前記収納筐体から引き出されて露出されることを特徴とする請求項１３に記載の釣銭管理システム。
【発明の詳細な説明】
【技術分野】
【０００１】
本発明は、棒金を収納する棒金収納庫および釣銭管理システムに関する。
【背景技術】
【０００２】
従来、収納庫本体と、この収納庫本体に対して引出し自在に設けられ、特定金種の棒金硬貨をそれぞれ１本ずつ収納可能な複数の棒金収納部が設けられた棒金ドロアと、この棒金ドロアの棒金収納部ごとに棒金硬貨の有無を検知する棒金有無検知手段と、この有無検知手段による検知結果を硬貨釣銭機へ送信する検知結果送信手段と、を備えた棒金収納庫が知られている（特許文献１参照）。
【先行技術文献】
【特許文献】
【０００３】
【特許文献１】特開２００６−８５３３２
【発明の開示】
【発明が解決しようとする課題】
【０００４】
しかしながら、従来の棒金収納庫には、棒金のみを収納するスペースしかなく、棒金以外のものを収納するスペースがなかった。また、棒金ドロアを閉める速度が速すぎた場合や、棒金ドロアに収納される棒金の種類が誤っている場合などリジェクト原因がある場合（所定の条件を満たしていない場合）には、棒金ドロアが開状態になる。しかしながら、このような開状態になっていることについて操作者は気づきにくく、開状態のまま放置され、セキュリティ的に問題となることがある。
【０００５】
本発明は、このような点を考慮してなされたものであり、棒金以外のもの（紙葉類や棒金以外の硬貨など）を収納スペース（補助収納部）に収納することができるだけではなく、当該収納スペース（補助収納部）内の回収忘れを防止することができる棒金収納庫と、セキュリティを向上させることができるとともに、収納ドロアが閉じない状態（リジェクト状態）を短時間で解消することができる棒金収納庫および釣銭管理システムを提供することを目的とする。
【課題を解決するための手段】
【０００６】
本発明による棒金収納庫は、
外部装置と通信可能な棒金収納庫において、
収納筐体と、
当該収納筐体に対して引き出し自在に設けられるとともに、棒金を収納する棒金収納部と、紙葉類または棒金以外の硬貨を収納する補助収納部とを有する収納ドロアと、
前記補助収納部内の紙葉類または棒金以外の硬貨について、有無検知を行う検知センサと、を備え、
当該検知センサによる有無検知の結果に関する信号を前記外部装置に送信する、または、有無検知の結果を表示する。
【０００７】
本発明による棒金収納庫において、
前記補助収納部は、現金以外の紙葉類を収納する現金外紙葉類収納部、予備紙幣を収納する予備紙幣収納部、予備硬貨を収納する予備硬貨収納部、および、異常硬貨を収納する異常硬貨収納部のうち少なくともいずれか１つを有することが好ましい。
【０００８】
本発明による棒金収納庫において、
前記外部装置から回収方法に関する信号を受けるとともに、前記検知センサから有無検知の結果に関する信号を受ける制御部をさらに備え、当該制御部は、前記外部装置から棒金以外の硬貨または紙葉類を回収する旨の信号を受けた場合に、検知センサから補助収納部のうち検知対象となっている箇所に何も収納されていない旨の信号を受けた場合に、処理完了と判断することが好ましい。
【０００９】
本発明による棒金収納庫において、
前記外部装置から回収方法に関する信号を受けるとともに、前記検知センサから有無検知の結果を受ける制御部をさらに備え、前記補助収納部は、現金以外の紙葉類を収納する現金外紙葉類収納部を有し、前記制御部は、前記外部装置から現金以外の紙葉類を回収する旨の信号を受けた場合に、前記検知センサから現金外紙葉類収納部内に何も収納されていない旨の信号を受けた場合に、処理完了と判断することが好ましい。
【００１０】
本発明による棒金収納庫において、
前記収納ドロアを閉鎖位置に固定するロック機構をさらに備え、前記制御部は、処理完了と判断した場合には、前記ロック機構によって前記収納ドロアを閉鎖位置に固定することが好ましい。
【００１１】
本発明による棒金収納庫において、
前記補助収納部は、前記棒金収納部に対して、引き出し方向側に配置され、前記補助収納部と前記棒金収納部との間に、前記収納ドロアを前記補助収納部まで引き出した状態で一旦停止させるストッパが設けられていることが好ましい。
【００１２】
本発明による棒金収納庫において、
前記補助収納部は、前記棒金収納部に対して、引き出し方向側に配置され、前記棒金収納部を覆う蓋が設けられていることが好ましい。
【００１３】
本発明による棒金収納庫において、
前記外部装置から前記収納ドロアの開閉条件に関する信号を受ける制御部をさらに備え、前記補助収納部は、前記棒金収納部に対して、引き出し方向側に配置され、前記補助収納部までしか開かないようにロックする中間ロック機構が設けられ、前記制御部は、前記外部装置から前記収納ドロアを全開状態にしてもよい旨の信号を受けた場合に、前記中間ロック機構によるロックを解除することが好ましい。
【００１４】
本発明による棒金収納庫において、
前記外部装置から前記収納ドロアの開閉条件に関する信号を受ける制御部をさらに備え、前記収納ドロアの前記棒金収納部は、棒金収納ドロアからなり、前記収納ドロアの前記補助収納部は、前記棒金収納ドロアとは別体を構成する補助収納ドロアからなり、前記棒金収納ドロアに、当該棒金収納ドロアを閉鎖位置に固定する棒金側ロック機構が設けられ、前記補助収納ドロアに、当該補助収納ドロアを閉鎖位置に固定する補助側ロック機構が設けられ、前記制御部は、前記外部装置から前記棒金収納ドロアを開状態にしてもよい旨の信号を受けた場合に、前記棒金側ロック機構による固定を解除し、前記外部装置から前記補助収納ドロアを開状態にしてもよい旨の信号を受けた場合に、前記補助側ロック機構による固定を解除することが好ましい。
【００１５】
本発明による棒金収納庫は、
外部装置と通信可能な棒金収納庫において、
収納筐体と、
当該収納筐体に対して引き出し自在に設けられるとともに、棒金を収納する棒金収納部を有する収納ドロアと、
前記収納ドロアの前記収納筐体に対する開状態を検知する開状態検知機構と、
所定の条件を満たさない場合に、前記収納ドロアを前記収納筐体に対して閉じないように制御する制御部と、を備え、
前記制御部は、前記所定の条件を満たさないと判断した場合には、満たしていない条件の内容に関する信号を、前記外部装置に送信する。
【発明の効果】
【００１６】
本発明によれば、収納ドロアが紙葉類または棒金以外の硬貨を収納する補助収納部を有し、検知センサが補助収納部内の紙葉類または棒金以外の硬貨について有無検知を行い、検知センサによる有無検知の結果に関する信号を外部装置に送信したり、表示したりするので、棒金以外のものを収納スペース（補助収納部）に収納することができるだけではなく、当該収納スペース（補助収納部）内の回収忘れを防止することができる。
また、収納ドロアの収納筐体に対する開状態を検知する開状態検知機構が設けられ、制御部が、リジェクト原因がある場合（所定の条件を満たさないと判断した場合）には、リジェクト原因（満たしていない条件の内容）に関する信号を、外部装置に送信するので、セキュリティを向上させることができるとともに、収納ドロアが閉じない状態（リジェクト状態）を短時間で解消することができる。
【発明を実施するための形態】
【００１７】
第１の実施の形態
以下、本発明に係る棒金収納庫１の第１の実施の形態について、図面を参照して説明する。ここで、図１乃至図８は本発明の第１の実施の形態を示す図である。
【００１８】
図３に示すように、棒金収納庫１は、ＰＯＳレジスタ（外部装置）７０と通信可能になっている。この棒金収納庫１は、図１乃至図３に示すように、収納筐体２と、当該収納筐体２に対して引き出し自在に設けられた収納ドロア３と、を備えている。
【００１９】
このうち、収納ドロア３は、図２および図３に示すように、棒金を収納する棒金収納部５と、当該棒金収納部５に対して引き出し方向側に配置され、紙葉類または棒金以外の硬貨を収納する補助収納部１０とを有している。
【００２０】
また、図２および図３に示すように、補助収納部１０は、現金以外の紙葉類を収納する現金外紙葉類収納部１２と、予備紙幣を収納する予備紙幣収納部１１と、予備硬貨を収納する予備硬貨収納部１３と、異常硬貨を収納する異常硬貨収納部１６と、余った硬貨を収納する余剰硬貨収納部１７と、を有している。なお、現金以外の紙葉類とは、例えば小切手や商品券などのことを意味し、異常硬貨とは、例えば汚損の激しい硬貨などのことを意味する。
【００２１】
また、図３に示すように、補助収納部１０内の紙葉類または棒金以外の硬貨について、有無検知を行う検知センサ２１ａ−２３ｂが設けられている。より具体的には、予備硬貨収納部１３には検知センサ２１ａ，２１ｂが設けられ、複数に区切られた予備硬貨収納部１３を一対の検知センサ２１ａ，２１ｂで検出するようになっており、収納筐体２の下面内方であって、収納ドロア３が閉鎖位置にあるときの予備紙幣収納部１１の下方の位置には、反射式の検知センサ２２ａ，２２ｂが設けられ、収納筐体２の下面内方であって、収納ドロア３が閉鎖位置にあるときの現金外紙葉類収納部１２の下方の位置には、反射式の検知センサ２３ａ，２３ｂが設けられている。なおここで、収納ドロア３が閉鎖位置にあるとは、収納ドロア３が収納筐体２内に押し込まれ閉じられた位置にあることを意味している。
【００２２】
ところで、検知センサ２１ａ−２３ｂは、光を発光する発光部２１ａ，２２ａ，２３ａと、発光部２１ａ，２２ａ，２３ａから発光された光を受光する受光部２１ｂ，２２ｂ，２３ｂと、を有している。また、予備紙幣収納部１１の下面であって（収納ドロア３が閉鎖位置にあるときに）検知センサ２２ａ，２２ｂに対応する位置にはスリット３７が設けられ、現金外紙葉類収納部１２の下面であって（収納ドロア３が閉鎖位置にあるときに）検知センサ２３ａ，２３ｂに対応する位置にはスリット３８が設けられている。
【００２３】
また、図３に示すように、棒金収納庫１は、ＰＯＳレジスタ７０から回収方法に関する信号を受けるとともに、検知センサ２１ａ−２３ｂから有無検知の結果に関する信号を受ける制御部４０を有している。この制御部４０は、検知センサ２１ａ−２３ｂによる有無検知の結果に関する信号を紙幣釣銭機５０を介してＰＯＳレジスタ７０に送信するように構成されている。なお、図１および図３に示すように、棒金収納庫１は、紙幣釣銭機５０だけでなく硬貨釣銭機５５にも接続されている。
【００２４】
なお、このＰＯＳレジスタ７０は、図３に示すように、ストアコントローラ７５と通信可能となっており、ストアコントローラ７５へ信号を送信したり、ストアコントローラ７５から信号を受信したりする。さらに、このストアコントローラ７５は、図３に示すように、ホストコンピュータ７９と通信可能となっており、ホストコンピュータ７９へ信号を送信したり、ホストコンピュータ７９から信号を受信したりする。
【００２５】
また、図４に示すように、収納筐体２の下面内方には光を発光する発光部２６ａが設けられ、収納筐体２の上面内方には発光部２６ａによって発光された光を受光する受光部２６ｂが設けられている。また、図３に示すように、棒金収納部５の下面にはスリット３１，３２，３３が設けられており、発光部２６ａから発光された光は、このスリット３１，３２，３３内を通過することができる。すなわち、センサ２６ａ，２６ｂは、スリット３１，３２，３３に対応する箇所（三箇所）に設けられており、発光部２６ａから発光された光は、各スリット３１，３２，３３内を通過できるようになっている。ところで、図４は、棒金収納庫１に収納された棒金を検知するためのセンサ２６ａ，２６ｂを示す概略縦断面図である。
【００２６】
また、収納ドロア３と収納筐体２との間には、制御部４０に接続されたロータリエンコーダ（変位検出手段）（図示せず）が設けられており、収納ドロア３の収納筐体２に対する位置を検出することができるようになっており、前述のセンサ２６ａ，２６ｂとの共同によって、棒金の直径を検出し、金種の判定を行うようになっている。具体的構造は、前述の特許文献１と全く同一であるため、ここでは省略する。
【００２７】
また、図３において、制御部４０は、回収方法に関して、全回収コマンド（棒金以外の硬貨および紙葉類を回収する旨の信号）を受けた場合には、検知センサ２１ａ−２３ｂから補助収納部１０のうち検知対象となっている全箇所（予備硬貨収納部１３、予備紙幣収納部１１および現金外紙葉類収納部１２）に何も収納されていない旨の信号を受けた場合に、処理完了と判断し、また、残置回収コマンド（現金以外の紙葉類を回収する旨の信号）を受けた場合には、検知センサ２３ａ，２３ｂによる有無検知から現金外紙葉類収納部１２内に何も収納されていない旨の信号を受けた場合に、処理完了と判断するように構成されている。
【００２８】
また、図５（ａ）（ｂ）に示すように、収納筐体２には、収納ドロア３を収納筐体２に対して閉鎖位置に固定するロック機構６０が設けられている。そして、制御部４０は、処理完了と判断した場合には、このロック機構６０によって収納ドロア３を閉鎖位置に固定するように構成されている。なお、この図５（ａ）（ｂ）は、棒金収納庫１のロック機構６０近傍を示す概略縦断面図である。
【００２９】
このロック機構６０は、図５（ａ）（ｂ）に示すように、回動軸６２を中心として回動可能となり、当接部分６１ａを有するロックアーム６１と、このロックアーム６１に連結され、ロックアーム６１を回動軸６２を中心に回動させる駆動装置６９と、ロックアーム６１の当接部分６１ａに当接可能なロック板６５と、を有している。また、ロックアーム６１のうち回動軸６２が設けられた箇所の上方には、収容筐体２に固定されたバネ６３が設けられており、ロックアーム６１に付勢力を付与している。
【００３０】
また、図５（ａ）（ｂ）に示すように、収納筐体２にはセンサ２９ａ，２９ｂが設けられ、このセンサ２９ａ，２９ｂの発光部２９ａと受光部２９ｂの間には、遮光板６８が通過可能となっている。また、収納ドロア３に設けられた仕切板３ａには、一端が当該仕切板３ａに当接してスライド自在なスライド部材６６が設けられている。また、当該スライド部材６６の他端には、収容筐体２に固定されたバネ６７が設けられており、スライド部材６６に付勢力を付与している。
【００３１】
また、図６（ａ）に示すように、補助収納部１０と棒金収納部５との間には、収納筐体２に引っかかるよう突出したストッパ３ｐが設けられている。また、図２に示すように、収納ドロア３には、当該棒金収納部５を覆うことができる蓋９が設けられている。なお、図６（ａ）は、棒金収納庫１のストッパ３ｐ近傍を示す概略縦断面図である。
【００３２】
また、図１および図２に示すように、収納筐体２の前面には、制御部４０からの指示に従って、点灯したり、点滅したりする表示ランプ（表示部）４５が設けられている。この表示ランプ４５が点灯するかまたは点滅するかは制御部４０からの指示に従っており、さらに、表示ランプ４５の点灯態様および点滅態様についても、制御部４０からの指示に従っている。
【００３３】
さらに、図１および図２に示すように、収納筐体２の前面のうち現金外紙葉類収納部１２に対応する部分には、開口部１２ａが設けられており、この開口部１２ａを介して現金外紙葉類を現金外紙葉類収納部１２内に収納できるようになっている。また、収納筐体２の前面のうち異常硬貨収納部１６に対応する部分には、開口部１６ａが設けられており、この開口部１６ａを介して異常硬貨を異常硬貨収納部１６内に収納できるようになっている。
【００３４】
次に、このような構成からなる本実施の形態の作用について述べる。
【００３５】
図２および図３に示すように、収納ドロア３は、棒金を収納する棒金収納部５以外にも、補助収納部１０を有している。そして、この補助収納部１０は、現金以外の紙葉類を収納する現金外紙葉類収納部１２と、予備紙幣を収納する予備紙幣収納部１１と、予備硬貨を収納する予備硬貨収納部１３と、異常硬貨を収納する異常硬貨収納部１６と、余った硬貨を収納する余剰硬貨収納部１７と、を有している。このため、棒金以外の硬貨や紙葉類を、適切な場所に分類して収納することができる。
【００３６】
また、図３に示すように、予備硬貨収納部１３には、当該予備硬貨収納部１３内に硬貨が収納されていないかの有無検知を行う検知センサ２１ａ，２１ｂが設けられ、収納筐体２の下面内方であって収納ドロア３が閉鎖位置にあるときの予備紙幣収納部１１の下方の位置には、当該予備紙幣収納部１１内に予備紙幣が収納されていないかの有無検知を行う検知センサ２２ａ，２２ｂが設けられ、収納筐体２の下面内方であって収納ドロア３が閉鎖位置にあるときの現金外紙葉類収納部１２の下方の位置には、当該現金外紙葉類収納部１２内に現金外紙葉類が収納されていないかの有無検知を行う検知センサ２３ａ，２３ｂが設けられている。
【００３７】
そして、図３において、制御部４０は、これら検知センサ２１ａ−２３ｂからの信号を受けて、予備硬貨収納部１３、予備紙幣収納部１１および現金外紙葉類収納部１２の各々についての有無検知の結果をＰＯＳレジスタ７０に送信する。このため、操作者は、補助収納部１０内の棒金以外の硬貨や紙葉類の有無を容易に認識することができ、補助収納部１０内の回収忘れを防止することができる。
【００３８】
なお、制御部４０は、表示ランプ４５によって有無検知の結果を表示させるようにもなっている（図１および図２参照）。例えば、補助収納部１０内に棒金以外の硬貨や紙葉類のいずれかが残っている（収納されている）場合には、制御部４０が表示ランプ４５を緑色に点灯させ、補助収納部１０内に棒金以外の硬貨や紙葉類のいずれも残っていない場合には、制御部４０が表示ランプ４５を赤色に点灯させるようにしてもよい。
【００３９】
このように、表示ランプ４５が有無検知の結果を表示することによって、操作者は、補助収納部１０内の棒金以外の硬貨や紙葉類の有無を容易に認識することができ、やはり、補助収納部１０内の回収忘れを防止することができる。
【００４０】
また、収納ドロア３と収納筐体２との間に設けられたロータリエンコーダ（図示せず）とセンサ２６ａ，２６ｂ（図４参照）との共同によって、棒金収納部５に収納された棒金の直径を検出することができる。このため、棒金収納部５に収納された棒金については、金種の判定を行うことができる。
【００４１】
また、制御部４０は、ＰＯＳレジスタ７０から、全回収コマンド（棒金以外の硬貨および紙葉類を回収する旨の信号）を受けた場合には、検知センサ２１ａ−２３ｂから補助収納部１０内に何も収納されていない旨の信号を受けた場合に、処理完了と判断する。また、制御部４０は、ＰＯＳレジスタ７０から、残置回収コマンド（現金以外の紙葉類を回収する旨の信号）を受けた場合には、検知センサ２３ａ，２３ｂによる有無検知から現金外紙葉類収納部１２内に何も収納されていない旨の信号を受けた場合に、処理完了と判断する（図３参照）。
【００４２】
このように、制御部４０が全回収コマンドや残置回収コマンドを受けた場合であって制御部４０が処理完了と判断した場合には、収納ドロア３を収納筐体２に対してバネ６７の付勢力に抗して押込位置まで押し込んだときに、遮蔽板６８が移動することによってセンサ２９ａ，２９ｂの出力が透光から遮光を経て再び透光へ切り換わることを受けて、制御部４０は、駆動装置６９によってロックアーム６１をロック位置へ回動させて、当接部分６１ａをロック板６８に当接可能な位置に位置づける（図５（ａ）（ｂ）参照）。このため、ロック機構６０によって、収納ドロア３を閉鎖位置に固定することができる。
【００４３】
他方、制御部４０が全回収コマンドや残置回収コマンドを受けた場合であっても、制御部４０が処理完了と判断しない場合には、ロックアーム６１は解放位置のままに位置しており、収納ドロア３を収納筐体２に対して押込位置まで押し込んだとしても、バネ６７の付勢力によって、収納ドロア３が開くこととなる。
【００４４】
このように、本実施の形態によれば、ＰＯＳレジスタ７０から全回収コマンドや残置回収コマンドを入力するだけで、棒金以外の硬貨および紙葉類を回収したり（全回収コマンドの場合）、現金以外の紙葉類を回収したり（残置回収コマンドの場合）することを確実に行うことができる。
【００４５】
なお、ＰＯＳレジスタ７０から全回収コマンドや残置回収コマンドが入力されていない場合には、収納ドロア３を収納筐体２に対して押込位置まで押し込んだときに、収納ドロア３が閉鎖位置に固定されることとなる。すなわち、収納ドロア３を収納筐体２に対して押込位置まで押し込むことによって、駆動装置６９がロックアーム６１をロック位置へ回動させて当接部分６１ａをロック板６５に当接可能な位置に位置づけ、収納ドロア３を閉鎖位置に固定することができる。
【００４６】
他方、収納ドロア３を収納筐体２に対して押込位置まで押し込んだ場合であっても、収納ドロア３を閉める速度が速すぎた場合や、棒金収納部５に収納される棒金の種類が誤っている場合などリジェクト原因がある場合（所定の条件を満たしていない場合）には、収納ドロア３は収納筐体２に対してロックされず、収納ドロア３は開状態となる。
【００４７】
そして、このように収納ドロア３が開状態となっているときには、制御部４０は、開状態になっている旨をＰＯＳレジスタ７０に送信するとともに、表示ランプ４５によってその旨を表示させる（例えば、収納ドロア３が開状態となっているときには表示ランプ４５を赤色で高速点滅させる）。
【００４８】
このため、操作者は、収納ドロア３が開状態となっていることを容易に認識することができ、収納ドロア３が開状態にあるにもかかわらず操作者がそのことに気づかないという危険な状態が発生することを極力防止することができ、セキュリティを向上させることができる。
【００４９】
このように、制御部４０は、ロック機構６０によって収納ドロア３が収納筐体２に対してロックされず、収納ドロア３が開状態になっている場合には、そのことを検知することができる。このため、これら制御部４０とロック機構６０とによって、開状態検知機構が構成されることとなる。
【００５０】
ところで、制御部４０は、棒金収納部５内の棒金が無くなった場合には、表示ランプ４５をそのことに対応させて制御（例えばゆっくり点滅（低速点滅））させることもでき、操作者は、棒金を補充する必要があることを容易に認識することができる。
【００５１】
また、リジェクト原因があるために収納ドロア３が収納筐体２に対してロックされない（閉鎖位置で固定されない）場合には、制御部４０は、ＰＯＳレジスタ７０にリジェクト原因（満たしていない条件の内容）についても送信する。このため、操作者は、リジェクト原因を容易に把握することができ、収納ドロア３が閉じない状態（リジェクト状態）を短時間で解消することができる。
【００５２】
また、図６（ａ）に示すように、補助収納部１０と棒金収納部５との間に収納筐体２に引っかかるよう突出したストッパ３ｐが設けられているので、操作者が収納ドロア３を補助収納部１０まで引き出した状態で、収納ドロア３を収納筐体２に対して一旦停止させることができる。このため、操作者は、作業に必要な補助収納部１０だけを開けることができ、作業に不必要な棒金収納部５が顧客などに露出されることを防止することができる。
【００５３】
また、図２に示すように、収納ドロア３には、当該棒金収納部５を覆うことができる蓋９が設けられている。このため、この蓋９で棒金収納部５を覆うことによって、やはり、作業に不必要な棒金収納部５が顧客などに露出されることを防止することができる。
【００５４】
また、ストッパ３ｐや蓋９を設ける代わりに、図６（ｂ）に示すように、補助収納部１０までしか開かないように収納ドロア３をロックする中間ロック機構６０ｍを設けてもよい。この中間ロック機構６０ｍは、制御部４０が開閉条件に関してＰＯＳレジスタ７０から収納ドロア３を全開状態にしてもよい旨の信号を受けた場合にのみ、解放位置に移動し、中間ロック機構６０ｍによるロックを解除するように構成されている。
【００５５】
図６（ｂ）に示すように、中間ロック機構６０ｍは、ロック機構６０と同様の構成からなり、回動軸６２ｍを中心として回動可能となり、当接部分６１ｍａを有するロックアーム６１ｍと、このロックアーム６１ｍに連結され、ロックアーム６１ｍを回動軸６２ｍを中心に回動させる駆動装置６９ｍと、ロックアーム６１ｍの当接部分６１ｍａに当接可能なロック板６５ｍと、を有している。また、ロックアーム６１ｍのうち回動軸６２ｍが設けられた箇所の上方には、収容筐体２に固定されたバネ６３ｍが設けられており、ロックアーム６１ｍに付勢力を付与している。
【００５６】
このような中間ロック機構６０ｍを設けることによって、やはり、操作者は、作業に必要な補助収納部１０だけを開けることができ、作業に不必要な棒金収納部５が顧客などに露出されることを防止することができる。
【００５７】
また、上記では、予備紙幣収納部１１の下面にはスリット３７が設けられ、現金外紙葉類収納部１２の下面にはスリット３８が設けられている態様を用いて説明したが、これに限られることなく、図７に示すように、棒金収納部５の下面に設けられたスリット３１，３２，３３が、予備紙幣収納部１１の下面および現金外紙葉類収納部１２の下面にまで延びて、スリット３７，３８の代わりの役目を果たすようにしてもよい。
【００５８】
この場合には、予備紙幣収納部１１が、センサ２６ａ，２６ｂの発光部２６ａと受光部２６ｂの間を移動する際に、予備紙幣収納部１１内の予備紙幣の有無検知が行われ、現金外紙葉類収納部１２が、センサ２６ａ，２６ｂの発光部２６ａと受光部２６ｂの間を移動する際に、現金外紙葉類収納部１２内の現金外紙葉類の有無検知が行われる（図４参照）。
【００５９】
また、上記では、棒金収納部５と補助収納部１０とが、一つの収納ドロア３内に設けられる態様を用いて説明したが、これに限られることはない。例えば、図８に示すように、収納ドロア３の棒金収納部が棒金収納ドロア５ａからなり、収納ドロア３の補助収納部が棒金収納ドロア５ａとは別体を構成する補助収納ドロア１０ａからなってもよい。
【００６０】
この場合には、棒金収納ドロア５ａには、当該棒金収納ドロア５ａを閉鎖位置に固定する棒金側ロック機構（図示せず）が設けられ、補助収納ドロア１０ａには、当該補助収納ドロア１０ａを閉鎖位置に固定する補助側ロック機構（図示せず）が設けられている。なお、これら棒金側ロック機構と補助側ロック機構の各々は、上述したロック機構６０と同じ構成からなっている（図５（ａ）（ｂ）参照）。
【００６１】
そして、制御部４０は、ＰＯＳレジスタ７０から棒金収納ドロア５ａを開状態にしてもよい旨の信号を受けた場合に、棒金側ロック機構による固定を解除し、ＰＯＳレジスタ７０から補助収納ドロア１０ａを開状態にしてもよい旨の信号を受けた場合に、補助側ロック機構による固定を解除するように構成されている。
【００６２】
なお、この場合には、収納筐体２には、棒金収納ドロア５ａに対応してセンサ２６ａ，２６ｂが設けられ（図４参照）、補助収納ドロア１０ａに対応してセンサ２１ａ−２３ｂが設けられている（図３参照）。
【００６３】
第２の実施の形態
次に、図９により、本発明の第２の実施の形態について説明する。図９に示す第２の実施の形態は、収納ドロア３が、棒金を収納する棒金収納部５と、紙葉類または棒金以外の硬貨を収納する補助収納部１０とを有する代わりに、収納ドロア３が、棒金を収納する棒金収納部５だけを有するものであり、その他の構成は図１乃至図８に示す第１の実施の形態と略同一である。
【００６４】
図９に示す第２の実施の形態において、図１乃至図８に示す第１の実施の形態と同一部分には同一符号を付して詳細な説明は省略する。
【００６５】
図９に示すように、収納ドロア３は、棒金を収納する棒金収納部５だけを有している。
このような本実施の形態においても、第１の実施の形態と同様の効果を奏することができる。
【００６６】
すなわち、収納ドロア３を収納筐体２に対して押込位置まで押し込んだ場合であっても、収納ドロア３を閉める速度が速すぎた場合や、棒金収納部５に収納される棒金の種類が誤っている場合などリジェクト原因がある場合などには、収納ドロア３は収納筐体２に対してロックされず、収納ドロア３は開状態となる。
【００６７】
そして、このように収納ドロア３が開状態となっているときには、制御部４０は、開状態になっている旨をＰＯＳレジスタ７０に送信するとともに、表示ランプ４５によってその旨を表示させる（例えば、表示ランプ４５を赤色で高速点滅させる）。
【００６８】
このため、操作者は、収納ドロア３が開状態となっていることを容易に認識することができ、収納ドロア３が開状態にあるにもかかわらず操作者がそのことに気づかないという危険な状態が発生することを極力防止することができ、セキュリティを向上させることができる。
【００６９】
また、リジェクト原因があるために収納ドロア３が収納筐体２に対してロックされない場合には、制御部４０は、ＰＯＳレジスタ７０にリジェクト原因（満たしていない条件の内容）についても送信する。このため、操作者は、リジェクト原因を容易に把握することができ、収納ドロア３が閉じない状態（リジェクト状態）を短時間で解消することができる。
【図面の簡単な説明】
【００７０】
【図１】本発明の第１の実施の形態による棒金収納庫を用いた棒金収納システムの一部を示す斜視図。
【図２】本発明の第１の実施の形態による棒金収納庫を示す斜視図。
【図３】本発明の第１の実施の形態による棒金収納庫を用いた棒金収納システムを示す概略構成図。
【図４】本発明の第１の実施の形態による棒金収納庫に収納された棒金を検知するためのセンサを示す概略縦断面図。
【図５】本発明の第１の実施の形態による棒金収納庫のロック機構近傍を示す概略縦断面図。
【図６】本発明の第１の実施の形態による棒金収納庫のストッパ近傍を示す概略縦断面図と、棒金収納庫の中間ロック機構を示す概略縦断面図。
【図７】本発明の第１の実施の形態による棒金収納庫の別の態様を示す概略構成図。
【図８】本発明の第１の実施の形態による棒金収納庫のさらに別の態様を示す斜視図。
【図９】本発明の第２の実施の形態による棒金収納庫を用いた棒金収納システムの一部を示す斜視図。
【符号の説明】
【００７１】
１      棒金収納庫
２      収納筐体
３      収納ドロア
３ｐ    ストッパ
５      棒金収納部
５ａ    棒金収納ドロア
９      蓋
１０    補助収納部
１０ａ  補助収納ドロア
１１    予備紙幣収納部
１２    現金外紙葉類収納部
１３    予備硬貨収納部
１６    異常硬貨収納部
１７    余剰硬貨収納部
２１ａ−２３ｂ  検知センサ
２６ａ，２６ｂ  センサ
４０    制御部
４５    表示ランプ（表示部）
５０    紙幣釣銭機
５５    硬貨釣銭機
６０    ロック機構
６０ｍ  中間ロック機構
７０    ＰＯＳレジスタ（外部装置）
【図１】
0005639235.tif 000002
【図２】
0005639235.tif 000003
【図３】
0005639235.tif 000004
【図４】
0005639235.tif 000005
【図５】
0005639235.tif 000006
【図６】
0005639235.tif 000007
【図７】
0005639235.tif 000008
【図８】
0005639235.tif 000009
【図９】
0005639235.tif 000010